(57)【要約】【課題】ルーズホールのボルト軸回りへのせん断力強化用充填材の設置を容易に行え、しかも、充填材のコストが低く、それでいて、せん断力で部材がボルト軸と直交する方向にズレ動いてしまうのをしっかりと規制できるルーズホールにおけるボルト接合構造を提供する。【解決手段】ルーズホール７内のボルト軸１回りにせん断力強化用の粒状の硬質充填材５が充填され、座板３を介してボルト軸１に螺合したナット４を締め込むことでルーズホール７内の充填材５が圧縮固化固定状態にされ、該圧縮固化固定状態の充填材５がせん断力に抵抗するように作用して、ボルト軸１と直交する方向への部材２のズレを規制するようになされている。【選択図】      図１
2006257689.tif 000002
【特許請求の範囲】
【請求項１】
ボルト軸が立ち上げられる面部に、偏心吸収用のルーズホールを備えた部材が、該ルーズホールにボルト軸を通して設置されると共に、
ルーズホール内のボルト軸回りにせん断力強化用の粒状ないしは粉状の硬質充填材が充填され、
ルーズホールを閉鎖する座板を介してボルト軸に螺合されたナットが締め込まれることでルーズホール内の充填材が圧縮固化固定状態にされ、
該圧縮固化固定状態の充填材がせん断力に抵抗するように作用して、ボルト軸と直交する方向への部材のズレを規制するようになされていることを特徴とするルーズホールにおけるボルト接合構造。
【発明の詳細な説明】
【技術分野】
【０００１】
本発明は、ルーズホールにおけるボルト接合構造に関する。
【背景技術】
【０００２】
ボルト軸が立ち上げられる面部に、偏心吸収用のルーズホールを備えた部材を、該ルーズホールにボルト軸を通して設置し、ルーズホールを閉鎖する座板を介してボルト軸にナットを螺合し、該ナットを締め付けただけの構造では、ボルト軸と直交する方向からの力、即ち、せん断力に対して弱く、部材がボルト軸と直交する方向にズレ動いてしまうことがある。
【０００３】
そのため、従来より、２つの三日月形プレートを組み合わせてボルト通孔を自由に偏心させることができるようになされた充填材を用い、ルーズホール内のボルト軸回りに該充填材を設置し、該充填材により、部材がせん断力でボルト軸と直交する方向にズレ動くのを規制するようにしたものが提供されている。
【発明の開示】
【発明が解決しようとする課題】
【０００４】
しかしながら、上記のような２つの三日月形プレートを組み合わせた充填材では、充填材におけるボルト通孔の位置がボルト軸とルーズホールの偏心位置関係と一致するように、三日月プレートを相対回転させて微妙に調整していかなければならず、その調整が厄介で手間を要するという問題や、各三日月プレートには高精度が要求されるため、充填材のコストが高くつくという問題がある。
【０００５】
本発明は、上記のような従来の問題点に鑑み、ルーズホールのボルト軸回りへのせん断力強化用充填材の設置を容易に行うことができ、しかも、充填材のコストを低く抑えることができ、それでいて、せん断力によって部材がボルト軸と直交する方向にズレ動いてしまうのをしっかりと規制することができるルーズホールにおけるボルト接合構造を提供することを課題とする。
【課題を解決するための手段】
【０００６】
上記の課題は、ボルト軸が立ち上げられる面部に、偏心吸収用のルーズホールを備えた部材が、該ルーズホールにボルト軸を通して設置されると共に、
ルーズホール内のボルト軸回りにせん断力強化用の粒状ないしは粉状の硬質充填材が充填され、
ルーズホールを閉鎖する座板を介してボルト軸に螺合されたナットが締め込まれることでルーズホール内の充填材が圧縮固化固定状態にされ、
該圧縮固化固定状態の充填材がせん断力に抵抗するように作用して、ボルト軸と直交する方向への部材のズレを規制するようになされていることを特徴とするルーズホールにおけるボルト接合構造によって解決される。
【０００７】
この構造では、せん断力強化用の充填材が、粒状ないしは粉状の充填材からなっているので、ボルト軸とルーズホールとが偏心しているか否かにかかわらず、充填材を、ルーズホール内のボルト軸回りに容易に充填させていくことができ、しかも、充填材が粒状ないしは粉状の硬質充填材からなるので、そのコストも低い。
【０００８】
そして、該充填材は、粒状ないしは粉状の硬質充填材からなって、ルーズホールを閉鎖する座板を介してボルト軸に螺合されたナットが締め込まれてルーズホール内で圧縮固化固定状態にされ、せん断力に抵抗するように作用するようになされているので、せん断力によって部材がボルト軸と直交する方向にズレ動いてしまうのをしっかりと規制することができる。
【０００９】
また、ルーズホール内の充填材を圧縮固化固定するための特別な操作も必要なく、ナットを締め付けていくだけで充填材をルーズホール内で圧縮固化固定状態にすることができ、充填材を圧縮固化固定状態にする操作も容易である。
【発明の効果】
【００１０】
本発明は、以上のとおりのものであるから、ルーズホールのボルト軸回りへのせん断力強化用充填材の設置を容易に行うことができ、しかも、充填材のコストを低く抑えることができ、それでいて、せん断力によって部材がボルト軸と直交する方向にズレ動いてしまうのをしっかりと規制することができる。
【発明を実施するための最良の形態】
【００１１】
次に、本発明の実施最良形態を図面に基づいて説明する。
【００１２】
図１〜図３に示す実施形態の構造において、１はボルト軸、２は部材としてのプレート、３は座板、４はナット、５はせん断力強化用の充填材であり、ボルト軸１は面部６から立ち上げられ、プレート２には偏心吸収用の円形のルーズホール７が設けられ、座板３はルーズホール７を閉鎖することができる平面サイズを備え、プレート２がそのルーズホール７にボルト軸１を通して面部６に設置され、ナット４が座板３を介してボルト軸１に螺合され締め付けられることにより、プレート２と面部６とがボルト接合されるようになされている。
【００１３】
そして、充填材５は、多数の鋼球の群で構成された粒状材からなっていて、図３（ロ）に示すように、ボルト軸１をルーズホール７に通してプレート２を面部６上に設置した後、該粒状充填材５を、プレート２の上方からルーズホール７内に流し込んでいけば、ルーズホール７とボルト軸１とが、図２（イ）に示すように同心位置関係になっていても、あるいは、図２（ロ）（ハ）に示すように偏心位置関係になっていても、充填材５は、ルーズホール７内のボルト軸１の周囲に回り込んでしっかりと充填される。
【００１４】
その充填状態において、ルーズホール７を上から座板３で塞ぎナット４を締め込めば、図１（イ）（ロ）に示すように、ルーズホール７内の粒状充填材５は、ルーズホール７の内周部と、ボルト軸１の外周部と、面部６と、座板３で囲まれた内部で圧縮されて固化固定され、該該充填材５が白抜き矢印で示すようなせん断力に抵抗するように作用して、ボルト軸１と直交する方向へのプレート２のズレを規制するように働く。
【００１５】
このように、上記の構造では、せん断力強化用の充填材５が、鋼球の集合体からなる粒状の硬質充填材からなっているので、ボルト軸１とルーズホール７とが図２に示すように偏心しているか否かにかかわらず、充填材５を、ルーズホール７内のボルト軸１回りに容易に充填させていくことができ、しかも、充填材５のコストも低く抑えることができる。
【００１６】
そして、該充填材５は、座板３を介してボルト軸１に螺合されたナット４が締め込まれることでルーズホール７内で圧縮されて固化固定されているので、せん断力によってプレート２がボルト軸１と直交する方向にズレ動いてしまうのをしっかりと規制することができる。また、ルーズホール７内の充填材５を圧縮固化固定するための特別な操作も必要なく、プレート２を面部６に接合する目的でナット４の締付けを行えば、充填材５が圧縮固化固定されて、充填材５をルーズホール７内で容易に圧縮固化固定状態にすることができる。
【００１７】
以上に、本発明の実施形態を示したが、本発明はこれに限られるものではなく、発明思想を逸脱しない範囲で各種の変更が可能である。例えば、上記の実施形態では、充填材として、多数の鋼球の集合体からなる粒状の充填材５を使用した場合を示したが、各粒のサイズや形態に具体的制限はなく、粒を構成する粒子が硬質のものからなっていればよく、また、粒状に限らず、粉状であって粉を構成する粒子が硬質のものからなる粉状の硬質充填材を用いるようにしてもよい。
【００１８】
また、ボルト軸１が立ち上げられる面部６や部材２についての種類や形態に制限はないし、部材２に備えられるルーズホール７の形態や座板３の形態についても制限はなく、本発明は、偏心吸収用のルーズホールを採用する各種ボルト接合部分に広く用いることができるものである。
【図面の簡単な説明】
【００１９】
【図１】実施形態のボルト接合構造を示すもので、図（イ）はボルト軸とルーズホールとが同心状態で接合されている場合の断面正面図、図（ロ）はボルト軸とルーズホールとが偏心状態で接合されている場合の断面正面図である。
【図２】図（イ）はボルト軸とルーズホールとが同心状態である場合のルーズホールにおける充填材の充填状態を示す一部断面平面図、図（ロ）及び図（ハ）はそれぞれボルト軸とルーズホールとが偏心状態である場合のルーズホールにおける充填材の充填状態を示す一部断面平面図である。
【図３】図（イ）はボルト接合部の一部断面分解斜視図、図（ロ）は充填材の充填方法を示す一部断面斜視図である。
【符号の説明】
【００２０】
１…ボルト軸
２…プレート（部材）
３…座板
４…ナット
５…粒状硬質充填材
６…面部
７…ルーズホール
【図１】
2006257689.tif 000003
【図２】
2006257689.tif 000004
【図３】
2006257689.tif 000005